(57)【要約】【課題】デジタルテレビの番組選局方法において、地上アナログ、地上デジタル、ＢＳ／ＣＳの各チャンネルで受信可能な全ての放送の中で、所定の番組を選択する時、放送（ネットワーク）切替ボタンで、放送を切替えなければならず、時間と手間がかかる。又、「お好み選局」での選択も「お好み選局」のキーを押さなければならず、さらにその「お好み選局」の機能も地上デジタル、ＢＳなど一つのネットワークの中でしか、選択出来ない。【解決手段】希望のチャンネルだけをメモリに保存し、さらに、スポーツや芸能などのジャンルや野球選手名、歌手名などのタイトルで検索を行い、その結果をメモリに保存する。その操作後は、リモコンの上下ボタンを操作し、最小限まで絞られたチャンネルの中で、ジャンルやタイトルの条件を満たすチャンネルだけが、順次画面に出てきて、所定の番組を選択出来る。【選択図】図２
2005217587.tif 000002
【特許請求の範囲】
【請求項１】
デジタル放送を受信する番組選択方法において、各放送ごとにチャンネルを所定の順番に並べ、予め、視聴しないチャンネルを省略して希望するチャンネルだけを選択し、その情報をメモリに記憶し、リモコンの上下キーで選択された信号によってあらかじめ保存した前記メモリ上の情報をもとに前記ネットワークを越えて選局を行い、地上アナログチューナ、地上デジタルチューナもしくはＢＳ／ＣＳチューナで復調した信号を、地上波受信回路またはＢＳ／ＣＳ受信回路で映像信号に変換し、前記信号を切り替える入力信号切換制御部を通して出力し、映像出力回路を通してディスプレイに表示することを特徴とする放送受信機番組選択システム。
【発明の詳細な説明】
【技術分野】
【０００１】
本発明は、地上アナログ、地上デジタル、ＢＳ、ＣＳの放送の中から、放送切替キーによる操作をせずに、リモコンのチャンネル選択の上下キーの操作だけで、所定の番組を容易に選択できるシステムに関するものである。
【背景技術】
【０００２】
従来からのＵＨＦ、ＶＨＦのアナログ放送以外に、ＢＳアナログ、ＢＳデジタル、ＣＳ放送のチャンネルが増え、さらに、ＵＨＦの地上デジタル放送の開始と共に、チャンネル数が増大している。従来のデジタルテレビのチャンネル選択方法を説明する。
【０００３】
図３は、従来の放送チャンネルとリモコンの構成である。図４は、従来のチャンネル選択方法を示すフローチャートであるである。符号１７から符号２６は、何れもリモコン７の操作キーであり、１７は電源キー、１８は画面でチャンネルや番組を選択するのに使用するＥＰＧキー、１９はチャンネルを指定する数字キー、２０は選択した内容を決定する決定キー、２１はＥＰＧ画面におけるチャンネルや番組などを選択する上下左右キー、２２ａは地上アナログ放送を選択するための地上アナログ放送キー、２３ａは地上デジタル放送を選択する地上デジタル放送キー、２４ａはＢＳ放送を選択するＢＳ放送キー、２５ａはＣＳ放送を選択するＣＳ放送キーである。
【０００４】
図５は、チャンネル選択ブロック図であり、全体構成を示している。１は地上アナログチューナ、２は地上デジタルチューナ、３はＢＳ／ＣＳチューナ、４は地上波受信回路、５はＢＳ／ＣＳ受信回路、６はＥＰＧ（電子番組）情報処理回路、７はリモコン、８はメモリー、９は入力信号切替制御部、１０は映像出力回路、１１はディスプレイ、１２は画面上の文字等を表示するＯＳＤ表示回路、１３はＯＳＤ表示制御回路、１４は受信回路、これらのものによりテレビジョン受信機１５が構成される。
【０００５】
視聴者は見たい番組をリモコン７で放送切換を選択してその信号を受信回路１４で受信し、その受信された信号によって、まず、地上アナログチューナ１、もしくは地上デジタルチューナ２、ＢＳ／ＣＳチューナ３に入力して信号をそれぞれの地上波受信回路４、もしくは、ＢＳ／ＣＳ受信回路５で受信する。その時に選局するチャンネルは、メモリ８に保存された前回選局されたチャンネルの情報を使うこともある。
【０００６】
次に、リモコン７でチャンネル上下キー２６でその受信しているネットワーク内で選局して、上記地上波受信回路４もしくはＢＳ／ＣＳ受信回路５で受信した映像信号を後段の入力信号切換制御部９に送る。そこでリモコン７から送られる放送切換キー２２ａ、２３ａ、２４ａ、２５ａの情報から入力信号切換制御部９でも入力信号の切換を行うこともある。
【０００７】
そこで選択された信号は、映像出力回路１０を通してディスプレイ１１に表示される。また、地上波受信回路４、ＢＳ／ＣＳ受信回路５から出力される電子番組情報処理回路６を使ってＯＳＤ表示回路１２を通して映像出力回路１０を経由してディスプレイ１１に表示し、電子番組表の中で選局する場合もある。
【０００８】
多くのチャンネルの中から、所定の番組を選ぶ際、放送切替キー２２ａ，２３ａ，２４ａ，２５ａで、まず、地上アナログチャンネル２２ｂ、地上デジタルチャンネル２３ｂ、ＢＳチャンネル２４ｂ、ＣＳチャンネル２５ｂの何れかを選び、次に、リモコン７のチャンネル操作用上下キー２６で所定の番組を選択するが、多くのチャンネルの中から選ぶ際に、放送切替キーの操作が必ず必要で手間がかかった。
【０００９】
次に、選局方法を詳しく述べる。図３で従来のチャンネルの選択を説明する。地上アナログチャンネル２２ｂの中で希望チャンネルを選択する場合、まず、リモコン７の地上アナログキー２２ａを押し、リモコン７の上下キー２６で、所定の番組を選択していた。地上デジタルチャンネル、ＢＳチャンネル、ＣＳチャンネルも同様である。又、ＥＰＧを利用する場合、リモコン７のＥＰＧキー１８を押して、ＥＰＧ画面を出画し、上下左右キー２１と決定キー２０で、所定の番組を選択したり、上下キー２６で選択していた。
【００１０】
図４で、チャンネル選択の流れを具体的に説明する。ステップ８では、電源オン後、番組が所定の番組か判断を行う。所定の番組であれば、ステップ９に示すように、そのまま見る。所定の番組でなければ、ステップ１０に示すように、まず、ネットワーク（放送）を切替え、次に、ステップ１１に示すように、チャンネルを上下キー２６で切替え、選択する。
【００１１】
ステップ１２は、別の番組を選択するかどうかの判断を示しており、別の番組を選ぶ場合は、ステップ１０に戻り、継続して視聴する場合は、ステップ９に戻る。ステップ１０の操作は、リモコン地上アナログ放送２２ａ，地上デジタル放送２３ａ，ＢＳ放送２４ａ，ＣＳ放送２５ａのキーを押すことである。ステップ１１の操作は、上下キー２６を押すことである。
【００１２】
ＥＰＧ機能を利用する場合でも、まず、放送切替操作が必要であり、多くのチャンネルの中から、所定のチャンネルを探すことは、面倒で、最も見たい番組を選択出来ないことが起こる。さらに、「お好み選局」機能であらかじめ「お好みチャンネル」を選択することもあるが、これも一つのネットワーク内でしか、選択出来ない。
【特許文献１】特開２００１−１５７１３６号公報
【発明の開示】
【発明が解決しようとする課題】
【００１３】
リモコンの放送切替キーでネットワークを選んだ後、リモコンのチャンネルの上下操作キーで、所定のチャンネルを選択する場合、そのネットワークの中でしか、選択できない為、地上アナログチャンネル、地上デジタルチャンネル、ＢＳチャンネル、ＣＳチャンネルの異なるネットワークの場合、それぞれの放送切替ボタンで、まず，ネットワークを切替えて、その後、チャンネル上下キーで、希望のチャンネルを選択しなければならない。
【００１４】
また「お好み選局」機能についても、「お好み選局」キーを押さなければならず、さらに、一つのネットワーク内でしか、選択出来ない。又、リモコンのキーの数が多く、高齢者にとって、使いにくいという課題があった。
【課題を解決するための手段】
【００１５】
以上の課題を解決するために、本発明の放送受信機番組選択システムは、事前に、希望のチャンネル、見たくないチャンネル、契約の必要なチャンネルで契約をしていないチャンネルを事前にメモリに登録しておき、さらに、スポーツや芸能などのジャンルや  野球選手や歌手名などのタイトルを検索し、結果をメモリに登録する。その情報をもとに、リモコンの上下キーを操作するだけで、所定のチャンネルを選択できるようにしたものである。
【発明の効果】
【００１６】
本発明のシステムによって、地上アナログチャンネル、地上デジタルチャンネル、ＢＳチャンネル、ＣＳチャンネルの異なるネットワークであっても、それぞれの放送切替ボタンを操作せずに、チャンネル上下キーだけで、希望のチャンネルが、選択出来る。またリモコンのキーの数が多く、高齢者にとって、使いにくいという課題があったが、リモコンの上下キーだけで、所定のチャンネルを選択出来る。さらに、キーを減らせるので、リモコンを小さく出来る。以上のことから、放送されている番組の中で、希望のチャンネルをより早く見つけることが出来るので、テレビ番組をより楽しむことが出来る。
【発明を実施するための最良の形態】
【００１７】
上記の構成により、リモコンのチャンネル操作用の上下キーを操作するだけで、受信可能な番組の中から、所定の番組を容易に迅速に選択できる。
【００１８】
（実施の形態１）
以下、本発明の一実施例について、図面を参照しながら、説明する。
【００１９】
図１は、放送チャンネルの構成と選択方法、図２は、チャンネル選択方法、図５は、チャンネル選択ブロック図である。
【００２０】
図１で、符号１７から符号２６は図３と同様であり、１７は電源キー、１８はの決定キー、２１はＥＰＧ画面でチャンネルや番組を選択するのに使用するＥＰＧキー、１９は数字キー、２０はＥＰＧ画面におけるチャンネルや番組など上下左右キー、２２ａは地上アナログ放送キー、２２ｂは地上アナログチャンネル、２３ａは地上デジタル放送キー、２３ｂは地上デジタルチャンネル、２４ａはＢＳ放送キー、２４ｂはＢＳ放送チャンネル、２５ａはＣＳ放送キー、２５ｂはＣＳ放送チャンネル、２６は上下キーである。
【００２１】
１６は選択された希望チャンネルで、各ネットワークの複数のチャンネルのうち、視聴者が希望するチャンネルを登録し、希望しないチャンネルや未契約のチャンネルを省き、ジャンルやタイトルで検索されたチャンネルの設定状態を示している。多くのチャンネルの中からこの選択された希望チャンネル１６だけを、リモコン７の上下キー２６だけで容易に選択出来る。
【００２２】
次に、図２において、チャンネル選択の操作の流れについて、詳しく説明する。
【００２３】
ステップ１は、視聴者は希望のチャンネルを登録し、希望しないチャンネルや未契約のチャンネルを削除するかどうかの判断を示す。ステップ２は、ステップ１で選択されたチャンネルの中から、さらにスポーツや芸能などのジャンルや  野球チーム名や歌手名のタイトルの検索を行うかどうかの判断を示す。ジャンル検索画面の一例、タイトル検索画面の一例を図２右上と右中に示す。
【００２４】
ステップ３は、ステップ１、ステップ２で登録、削除、検索された情報のメモリへの保存を示す。メモリに登録、検索、保存された情報による画面の一例を図２の右下に示す。ジャンル、タイトル、チャンネル、日時が示されている。ステップ４は、ステップ１、ステップ２で選択されたチャンネルから希望のチャンネルを選択することを示す。図２右下に示された画面より選ぶことも可能である。ステップ５は、選択された番組が所定の番組かどうかの判断を示す。ステップ６は、選択された番組を、そのまま視聴すること、ステップ７は、選択された番組を引き続き見るか、あるいは、別のチャンネルを探す為に、別のジャンルやタイトルを選択するかどうかの判断を示す。ステップ８は、別のジャンルやタイトルを再設定するかどうかの判断を示す。
【００２５】
本発明においては、選択された希望チャンネル１６をリモコン７の上下キー２６だけで選択できる。従来のように、放送切替キー地上アナログキー２２ａ，地上デジタルキー２３ａ，ＢＳキー２４ａ，ＣＳキー２５ａをネットワークが異なる毎に押す必要がないので、多くのチャンネルの中から、簡単に、より早く所定の番組を選択することが出来る。また、一旦、選択した所定の番組の途中、あるいは、終了後、別のジャンルやタイトルのチャンネルを選択したい場合は、図２に示すように、ステップ７から、もう一度、ステップ２に戻れば、同様に、番組を選択出来る。
【００２６】
図５のブロック図は、この番組選択システムを有するテレビジョン受信機１５のブロック図である。ハードウエア的には、従来の構成と基本的に同じ内容で、登録された希望のチャンネル１６は、メモリ８に保存されている。なお、リモコン７の上下キー２６の代わりに、テレビジョン本体に設置されている選局上下キーを操作しても良い。
【００２７】
又、リモコン７の上下キー２６を長押しした時、チャンネル文字表示のみ変化してみかけ上、高速選局しても良い。又、視聴している時間帯が、変わった時は、常に新しい番組を選択出来るように、一定期間ごとに各ネットワークを自動サーチしても良い。又、ビデオ、ＤＶＤからの外部入力もネットワークの一部として、追加しても良い。
【産業上の利用可能性】
【００２８】
このように本願発明は、複数種類の放送を受信する受信機においてのその操作性を向上するものであり、たとえば大型の表示装置に接続される受信装置であってもよく、また携帯電話や小型のコンピュータなど、持ち運びできる機器に備えられているものであっても同等の効果を奏することが可能である。
【図面の簡単な説明】
【００２９】
【図１】本発明の放送チャンネルの構成とリモコンの構成を示す図
【図２】本発明のチャンネル選択方法の流れを示すフロー図
【図３】従来の放送チャンネルの構成とリモコンの構成を示す図
【図４】従来のチャンネル選択方法の流れを示すフロー図
【図５】チャンネル選択ブロック図
【符号の説明】
【００３０】
１    地上アナログチューナ
２    地上デジタルチューナ
３    ＢＳ／ＣＳチューナ
４    地上波受信回路
５    ＢＳ／ＣＳ受信回路
６    ＥＰＧ（電子番組）情報処理回路
７    リモコン
８    メモリ
９    入力信号切替回路
１０    映像出力回路
１１    ディスプレイ
１２    ＯＳＤ表示回路
１３    ＯＳＤ表示制御回路
１４    受信回路
１５    テレビジョン受信機
１６    希望のチャンネル
１７    電源キー
１８    ＥＰＧキー
１９    数字キー
２０    決定キー
２１    上下左右キー
２２ａ    地上アナログ放送キー
２２ｂ    地上アナログチャンネル
２３ａ    地上デジタル放送キー
２３ｂ    地上デジタルチャンネル
２４ａ    ＢＳ放送キー
２４ｂ    ＢＳ放送チャンネル
２５ａ    ＣＳ放送キー
２５ｂ    ＣＳ放送チャンネル
２６    チャンネル上下キー
【図１】
2005217587.tif 000003
【図２】
2005217587.tif 000004
【図３】
2005217587.tif 000005
【図４】
2005217587.tif 000006
【図５】
2005217587.tif 000007